(57)【要約】【課題】  組立時にネジで固定する前でも離れ難く、また接合部の面が傾斜しているためにねじの組み立てが容易であるうえ、水平方向の仮の位置決めができて組み立て易く、一方の構成部材と他方の構成部材との連結施工を簡便かつ的確にできるプラスチック製天井材を提供する。【解決手段】  一対の構成部材の一方の構成部材１と他方の構成部材２は、重ね合わせ状に接合される。一方の構成部材１には張出した突起部３の斜面に接合面４があり、他方の構成部材２には一方の構成部材１の接合面４に被さるように取り付けフランジ部５がある。一方の構成部材１の張出した突起部３の先端には段部６が形成されており、他方の構成部材２には一方の構成部材１の段部６に対応した段部７が形成されている。他方の構成部材２のフランジ部５を一方の構成部材１の突起部３を囲むように組み合わせて天井材を構成する。【選択図】        図２
2006307570.tif 000002
【特許請求の範囲】
【請求項１】
少なくとも一対の構成部材を組み合わせて構成される天井材であって、
一対の構成部材は重ね合わせ状に接合されるように、
一方の構成部材には張出した突起部の斜面に接合面があり、他方の構成部材には一方の構成部材の前記接合面に被さるように取り付けフランジ部をもつとともに、
一方の構成部材の張出した突起部先端には段部が形成され、
他方の構成部材には一方の構成部材の前記段部に対応した段部が形成されていて、
他方の構成部材のフランジ部を一方の構成部材の突起部を囲むように組み合わせて天井材を構成すること
を特徴とするプラスチック製天井材。
【請求項２】
一対の構成部材はブロー成形により一体に形成され、
天面およびそれに連なる側面より構成されており、
一方の構成部材と他方の構成部材の接合面は屈曲状に形成されている
ことを特徴とする請求項１記載のプラスチック製天井材。
【請求項３】
一方の構成部材の前記段部の一部には傾斜面を有する山形の膨出部が形成されているとともに、
一方の構成部材の突片には前記膨出部を囲むように対応した傾斜面を有する中実部が形成されていること
を特徴とする請求項１または２記載のプラスチック製天井材。
【請求項４】
一対の構成部材の間に他の構成部材を介して接合されること
を特徴とする請求項１、２または３記載のプラスチック製天井材。
【請求項５】
天井材の中空部にはその一部または全体に発泡材が充填されていること
を特徴とする請求項１、２、３または４記載のプラスチック製天井材。
【発明の詳細な説明】
【技術分野】
【０００１】
本発明は、少なくとも一方の構成部材と他方の構成部材を組み合わせて構成される天井材であって、主に浴室の天井を構成するプラスチック製天井材に関するものである。
【背景技術】
【０００２】
一対の構成部材を突き合わせ状に連結して構成されるプラスチック製天井材は、特開２００３−１６０９９６公報に記載されている。
【特許文献１】特開２００３−１６０９９６公報
【発明の開示】
【発明が解決しようとする課題】
【０００３】
特許文献１に記載されている天井材は、互いに突き合わせ状に連結される構造であって、その突き合わせ端面に凹凸嵌合構造をともなったものであるが、その接続構造は、一辺に沿った側端面のみを部分的に重ね合わせているものであるから、両者の全体的なあわせ具合があまり良くないものであり、また接合部の面が垂直のために結合ボルトが水平になり組み立てにくいものであった。
【０００４】
そこで本発明は、一対の構成部材を組み合わせて構成される天井材であっても、接合部が被さるように組み合わせる構造として、組立時にねじで固定する前でも離れ難く、また接合部の面が傾斜しているためにねじの組み立てが容易であるうえ、水平方向の仮の位置決めができて組み立て易いプラスチック製天井材を提供することを目的とするものである。
【課題を解決するための手段】
【０００５】
上記目的を達成するための本発明の請求項１に係るプラスチック製天井材は、少なくとも一対の構成部材を組み合わせて構成される天井材であって、一対の構成部材は重ね合わせ状に接合されるように、一方の構成部材には張出した突起部の斜面に接合面があり、他方の構成部材には一方の構成部材の前記接合面に被さるように取り付けフランジ部をもつとともに、一方の構成部材の張出した突起部先端には段部が形成され、他方の構成部材には一方の構成部材の前記段部に対応した段部が形成されていて、他方の構成部材のフランジ部と一方の構成部材の突起部を囲むように組み合わせて天井材を構成することを特徴とするものである。
【０００６】
本発明の請求項２に係るプラスチック製天井材は、請求項１記載の構成において、一対の構成部材はブロー成形により一体に形成され、天面およびそれに連なる側面より構成されており、一方の構成部材と他方の構成部材の接合面は屈曲状に形成されていることを特徴とするものである。
【０００７】
本発明の請求項３に係るプラスチック製天井材は、請求項１または２記載の構成において、一方の構成部材の前記段部の一部には傾斜面を有する山形の膨出部が形成されているとともに一方の構成部材の突片には前記膨出部を囲むように対応した傾斜面を有する中実部が形成されていることを特徴とするものである。
【０００８】
本発明の請求項４に係るプラスチック製天井材は、請求項１、２または３記載の構成において、一対の構成部材の間に他の構成部材を介して接合されることを特徴とするものである。
【０００９】
本発明の請求項５に係るプラスチック製天井材は、請求項１、２、３または４記載の構成において、天井材の中空部にはその一部または全体に発泡材が充填されていることを特徴とするものである。
【発明の効果】
【００１０】
本発明によれば、一対の構成部材を組み合わせて構成される天井材であっても、接合部が被さるように組み合わせる構造として、組立時にネジで固定する前でも離れ難く、また接合部の面が傾斜しているためにねじの組み立てが容易であるうえ、水平方向の仮の位置決めができて組み立て易く、一方の構成部材と他方の構成部材との連結施工を簡便かつ的確にできる効果が得られる。
【発明を実施するための最良の形態】
【００１１】
図面は本発明に係るプラスチック製天井材として、浴室の天井壁を構築するものを例示している。図１は一対の構成部材を突き合わせて連結する前の態様を示す斜視図、図２は同上一部の詳細断面図、図３は同上一部の詳細斜視図である。
【００１２】
図１および図２に示すように、本発明に係るプラスチック製天井材は、一対の構成部材を突き合わせ、その突き合わせ面を互いに連結して構成されるものである。すなわち、１はその一方の構成部材、２は他方の構成部材であって、これら一方の構成部材１と他方の構成部材２は、それぞれ略左右対称形状である。
【００１３】
一対の構成部材の一方の構成部材１と他方の構成部材２は、重ね合わせ状に接合されるように、一方の構成部材１には張出した突起部３の斜面に接合面４があり、他方の構成部材２には一方の構成部材１の前記接合面４に被さるように取り付けフランジ部５がある。また、一方の構成部材１の張出した突起部３の先端には段部６が形成されており、他方の構成部材２には一方の構成部材１の前記段部６に対応した段部７が形成されていて、他方の構成部材２のフランジ部５を一方の構成部材１の突起部３を囲むように組み合わせて天井材を構成するものである。
【００１４】
一対の構成部材の一方の構成部材１と他方の構成部材２は、ブロー成形により一体に形成されるものである。一方の構成部材１と他方の構成部材２は、天面およびそれに連なる側面より構成されており、一方の構成部材１の接合面４と他方の構成部材２のフランジ部５は屈曲状に形成されている。そして、一方の構成部材１の前記段部６の一部には傾斜面を有する山形の膨出部８をなしているとともに、一方の構成部材２のフランジ部５は前記膨出部８を囲むように対応した傾斜面を有する中実部をなしている。
【００１５】
一方の構成部材１と他方の構成部材２は、一方の構成部材１の突起部３と他方の構成部材２のフランジ部５を互いに嵌合したうえ、その間をネジ９によって固定する。１０，１１はネジ孔である。
【００１６】
図３に示すように、一方の構成部材１および他方の構成部材２は中空二重壁構造であって、中空部１２，１３の全体または一部には断熱や遮音などのために発泡材が充填することができる（発泡材については図示省略）。発泡材としては、不活性気体の混入（気体混入法）や発泡剤分解法、溶剤気散法、化学反応あるいは水蒸気加熱などにより発泡するポリエチレン樹脂、ポリプロピレン樹脂、エチレン酢酸ビニル共重合体樹脂、アクリル樹脂、ポリ塩化ビニル樹脂、ポリスチレン樹脂、ＡＢＳ樹脂、変性ポリフェニレンオキサイド樹脂、ポリウレタン樹脂、ナイロン樹脂、フェノール樹脂、ユリア樹脂などであるが、これらのうち特にポリエチレン樹脂、ポリプロピレン樹脂、ポリ塩化ビニル樹脂、ポリスチレン樹脂、変性ポリフェニレンオキサイド樹脂等の発泡済みの又は不完全発泡の粒状体である発泡ビーズを用いて水蒸気加熱により両者を溶着するのが好適である。
【００１７】
本発明に係るプラスチック製天井材は、所要の寸法に成形可能であるが、通常、その寸法は１２００×１６００（ｍｍ）、１６００×１６００（ｍｍ）、１６００×２０００（ｍｍ）である。
【００１８】
本発明に係るプラスチック製天井材を構成する樹脂は、引張弾性率が７０００Ｋｇ／ｃｍ2以上の剛性を有するプラスチックが好適であり、高密度ポリエチレン樹脂、中密度ポリエチレン樹脂、ポリプロピレン樹脂、ポリアミド樹脂、ポリエチレンテレフタート樹脂、ポリブチレンテレフタート樹脂、ポリスチレン樹脂、ＡＢＳ樹脂、ポリカーボネート樹脂、変性ポリフェニレンオキサイド樹脂あるいはこれらのブレンド物など、剛性にすぐれたブロー成形可能な熱可塑性樹脂である。
【００１９】
本発明に係るプラスチック製天井材は、一方の構成部材１と他方の構成部材２との間にさらに他の構成部材を介在させて所要の大きさに施工することができる。
【図面の簡単な説明】
【００２０】
【図１】本発明に係るプラスチック製天井材として、浴室の天井壁を構築するものを例示しており、一対の構成部材を突き合わせて連結する前の態様を示す斜視図である。
【図２】同上一部の詳細断面図である。
【図３】同上一部の詳細斜視図である。
【符号の説明】
【００２１】
１  一方の構成部材
２  他方の構成部材
３  突起部
４  接合面
５  取り付けフランジ部
６  段部
７  段部
８  膨出部
９  ネジ
１０，１１  ネジ孔
１２，１３  中空部
【図１】
2006307570.tif 000003
【図２】
2006307570.tif 000004
【図３】
2006307570.tif 000005